(57)【特許請求の範囲】
【請求項１】
カーテンなどが備えるリング形状の吊り金具をカーテンレールに取り付けるためのアダプター集合体であって、
略平行に互いに近接する上板と下板とが、少なくとも一辺を残してそれぞれの端部どうしで連結されており、該上板と下板を貫通する孔又は切り欠きが設けられた吊り金具用アダプターと、
前記カーテンレール内に挿入可能な板状体から成り、中央部にネジ孔が設けられたカーテンレール内用吊り金具用アダプターと、
前記ネジ孔に螺入されるボルトと、
を含んで構成され、
前記ボルトを、前記上板と下板との間に挿入された前記吊り金具及び前記吊り金具用アダプターに挿通したうえで前記ネジ孔に螺入することによって、前記吊り金具、前記吊り金具用アダプター、及び前記カーテンレールに挿入される前記カーテンレール内用吊り金具用アダプターが一団に連結され、前記カーテンレールに取り付け可能とされた、吊り金具用アダプター集合体。
【請求項２】
カーテンなどが備えるリング形状の吊り金具をカーテンレールに取り付けるためのアダプター集合体であって、
略平行に互いに近接する上板と下板とが、少なくとも一辺を残してそれぞれの端部どうしで連結されており、該上板と下板を貫通する孔又は切り欠きが設けられた吊り金具用アダプターと、
前記カーテンレール内に挿入可能な板状体から成り、中央部からネジ棒が突設されたカーテンレール内用吊り金具用アダプターと、
前記ネジ棒に螺合されるナットと、
を含んで構成され、
前記ネジ棒を、前記上板と下板との間に挿入された前記吊り金具及び前記吊り金具用アダプターに挿通し、前記ナットを螺合することによって、前記吊り金具、前記吊り金具用アダプター、及び前記カーテンレールに挿入される前記カーテンレール内用吊り金具用アダプターが一団に連結され、前記カーテンレールに取り付け可能とされた、吊り金具用アダプター集合体。
【請求項３】
前記孔又は前記切り欠きの先端部が、前記上板の前後を二分する位置に設けられた請求項１又は請求項２に記載の吊り金具用アダプター集合体。
【請求項４】
前記上板の端部と前記下板の端部との連結が一辺だけで行われた請求項１乃至請求項３の何れかに記載の吊り金具用アダプター集合体。
【請求項５】
請求項１に記載の吊り金具用アダプター集合体を用いて、カーテンレールにカーテンなどが備える吊り金具を取り付ける方法であって、
前記上板と下板の間に前記吊り金具を挿入し、
前記下板を貫通する孔又は切り欠きから前記吊り金具、前記上板を貫通する孔又は切り欠きの順に前記ボルトを挿通し、
前記ボルトの先端部を前記ネジ孔に螺入して、前記ボルトに前記カーテンレール内用吊り金具用アダプターを螺着し、
前記カーテンレール内用吊り金具用アダプターを前記カーテンレール内に挿入し、
前記ボルトを更に螺入して前記吊り金具用アダプターと前記カーテンレールの底部とを接触させる、吊り金具取り付け方法。
【請求項６】
請求項２に記載の吊り金具用アダプター集合体を用いて、カーテンレールにカーテンなどが備える吊り金具を取り付ける方法であって、
前記上板と下板の間に前記吊り金具を挿入し、
前記上板を貫通する孔又は切り欠きから前記吊り金具、前記下板を貫通する孔又は切り欠きの順に前記ネジ棒を挿通し、
前記ネジ棒の先端部に前記ナットを螺合し、
前記カーテンレール内用吊り金具用アダプターを前記カーテンレール内に挿入し、
前記ナットを更に締め付けて前記吊り金具用アダプターと前記カーテンレールの底部とを接触させる、吊り金具取り付け方法。
【発明の詳細な説明】
【０００１】
【発明の属する技術分野】
本発明は、ロールカーテンなどを天付けしたりカーテンレールに取り付けたりするのに用い、特に、丸および三角リング形状の吊り金具を備えるカーテンに適した吊り金具用アダプター集合体および吊り金具取り付け方法に関する。
【０００２】
【発明が解決しようとする課題】
従来、ロールカーテンなどを取り付けるには、カーテン上部に備えられた吊り金具を、天井や壁に、直接木ネジなどで固定していた。ところが近年、カーテンレールが広く普及したことや、建物をなるたけ傷つけないようにするため、カーテンレールを利用した取り付けが行われるようになってきた。例えば、雌ネジ部を備えたカーテンレール内用の取り付け金具を、カーテンレールの端からカーテンレール内に予め挿入しておき、この取り付け金具にボルトなどを用いて吊り金具を係止させる方法などがある。
【０００３】
ところが、この取り付け方法は、カーテンレールの端部を塞ぐキャップ部材が容易に外れる構造のカーテンレールにしか実施できないし、例え外れる構造だとしても、キャップ部材を外してまた取り付けるのは非常に面倒であった。また、カーテンレール内用の取り付け金具のネジ部に狙いを定めてボルトなどをねじ込むのは、カーテンを支えながら片手でボルトをねじ込む作業で、しかも吊り金具で視野を制限されるので非常に難しかった。
【０００４】
一方、カーテンの吊り金具は多種類にわたり、図２６に示されるように、ロールカーテン５１などでは三角リング状の吊り金具５２が広く用いられている。このタイプの吊り金具５２を備えたカーテン５１を取り付けるには、通常、釘や木ネジやフックなどを壁や天井から突出させておき、これに、吊り金具５２を引っ掛けることによって行われてきた。したがって、カーテンレール内にある雌ネジ部を備えた取り付け金具を介して、ボルトなどを用いて取り付ける上述の方法を直接実施することは難しい。
【０００５】
そこで、カーテンレール内用の取り付け金具に、フックを備えた別の補助取り付け金具をボルトなどでまず係止させ、それから、このフックにカーテン側の吊り金具５２を引っ掛けるという方法が開発されている。ところが、本例の取り付け方法では、カーテンレール内用の取り付け金具をカーテンレールの端から挿入することの問題点が解決されていないし、フックと吊り金具５２の長さ分だけ、カーテンレールとカーテン５１との間に隙間が生じてしまい、外観を著しく損なうという問題が発生している。
【０００６】
そこで本発明者等は、ロールカーテンなどをカーテンレールに取り付ける手段に関し、三角リング状の吊り金具を備えたカーテンに特に有効であり、取り付け作業が容易で、取り付け後の外観が格別に改善される、吊り金具用アダプター集合体及び吊り金具取り付け方法を提供するべく鋭意検討を重ねた結果、本発明に至ったのである。
【０００７】
【課題を解決するための手段】
本発明に係わる吊り金具用アダプター集合体の要旨とするところは、カーテンなどが備えるリング形状の吊り金具をカーテンレールに取り付けるためのアダプター集合体であって、略平行に互いに近接する上板と下板とが、少なくとも一辺を残してそれぞれの端部どうしで連結されており、該上板と下板を貫通する孔又は切り欠きが設けられた吊り金具用アダプターと、前記カーテンレール内に挿入可能な板状体から成り、中央部にネジ孔が設けられたカーテンレール内用吊り金具用アダプターと、前記ネジ孔に螺入されるボルトと、を含んで構成され、前記ボルトを、前記上板と下板との間に挿入された前記吊り金具及び前記吊り金具用アダプターに挿通したうえで前記ネジ孔に螺入することによって、前記吊り金具、前記吊り金具用アダプター、及び前記カーテンレールに挿入される前記カーテンレール内用吊り金具用アダプターが一団に連結され、前記カーテンレールに取り付け可能とされたことにある。
【０００８】
また、本発明に係わる吊り金具用アダプター集合体の要旨とするところは、カーテンなどが備えるリング形状の吊り金具をカーテンレールに取り付けるためのアダプター集合体であって、略平行に互いに近接する上板と下板とが、少なくとも一辺を残してそれぞれの端部どうしで連結されており、該上板と下板を貫通する孔又は切り欠きが設けられた吊り金具用アダプターと、前記カーテンレール内に挿入可能な板状体から成り、中央部からネジ棒が突設されたカーテンレール内用吊り金具用アダプターと、前記ネジ棒に螺合されるナットと、を含んで構成され、前記ネジ棒を、前記上板と下板との間に挿入された前記吊り金具及び前記吊り金具用アダプターに挿通し、前記ナットを螺合することによって、前記吊り金具、前記吊り金具用アダプター、及び前記カーテンレールに挿入される前記カーテンレール内用吊り金具用アダプターが一団に連結され、前記カーテンレールに取り付け可能とされたことにある。
【０００９】
前記孔又は前記切り欠きの先端部が、前記上板の前後を二分する位置に設けられ得る。
【００１０】
前記上板の端部と前記下板の端部との連結が一辺だけで行われ得る。
【００１１】
本発明に係わる吊り金具取り付け方法の要旨とするところは、請求項１に記載の吊り金具用アダプター集合体を用いて、カーテンレールにカーテンなどが備える吊り金具を取り付ける方法であって、前記上板と下板の間に前記吊り金具を挿入し、前記下板を貫通する孔又は切り欠きから前記吊り金具、前記上板を貫通する孔又は切り欠きの順に前記ボルトを挿通し、前記ボルトの先端部を前記ネジ孔に螺入して、前記ボルトに前記カーテンレール内用吊り金具用アダプターを螺着し、前記カーテンレール内用吊り金具用アダプターを前記カーテンレール内に挿入し、前記ボルトを更に螺入して前記吊り金具用アダプターと前記カーテンレールの底部とを接触させることにある。
【００１２】
また、本発明に係わる吊り金具取り付け方法の要旨とするところは、請求項２に記載の吊り金具用アダプター集合体を用いて、カーテンレールにカーテンなどが備える吊り金具を取り付ける方法であって、前記上板と下板の間に前記吊り金具を挿入し、前記上板を貫通する孔又は切り欠きから前記吊り金具、前記下板を貫通する孔又は切り欠きの順に前記ネジ棒を挿通し、前記ネジ棒の先端部に前記ナットを螺合し、前記カーテンレール内用吊り金具用アダプターを前記カーテンレール内に挿入し、前記ナットを更に締め付けて前記吊り金具用アダプターと前記カーテンレールの底部とを接触させることにある。
【００１３】
【発明の実施の形態】
次に、本発明に係わる吊り金具用アダプター集合体及び吊り金具取り付け方法の実施態様について、図面に基づいて詳しく説明する。明細書中、カーテンは、好ましくはロールカーテンであるが、他の種類のカーテンであっても良い。
【００１４】
図1は、本発明に係わる吊り金具用アダプターの一例を示し、吊り金具用アダプター１０は、平行で互いに近接する上板１２と下板１４とが、折り曲げ部３６によってそれぞれの一辺の一部分どうしが連結されており、上板１２と下板１４を貫通する孔１６、１７が、上板１２の前後及び左右を二分する中央部に設けられている。ここでいう前後左右とは、同図（ａ）に示すように、カーテンの吊り金具（図示されていない）を挿入する側を手前とした上面図を基にしている。上板１２および下板１４は略Ｈ形である。上板１２と下板１４とが同型上であり、使用時に上板１２と下板１４の位置を反対にしても問題ない。
【００１５】
この吊り金具用アダプター１０は、板材を折り曲げて形成される。図２（ａ）に示されるように、上板１２部分と下板１４部分とが、折り曲げ線２０で連結された板材１１を二つ折りすればよい。板材１１を打ち抜いて曲げ加工するだけで容易に製作することができる。図２（ｂ）に示すような板材でも良い。折り曲げ線２０で折り曲げる。左または右の辺で上板１２と下板１４とが接続される。折り曲げ線２０の途中に欠損部１８を設けると、折り曲げやすくなる。
【００１６】
図３〜図６は、吊り金具用アダプター１０を用いて、カーテンレールにカーテンを取り付ける方法の一例を示している。すなわち、図３に説明されるように、まず、吊り金具用アダプター１０の上板１２と下板１４との隙間に、カーテン５１の上部部材５４に備えられた吊り金具５２を横に倒して挿入する（○１）。吊り金具５２は、吊り金具５２をカーテン５１に固定する固定部材５６の把持部６０によって、回動自在に支持されている。そして次ぎに、ボルト２４を孔１７、１６と吊り金具５２とに挿通し、その先端部に、カーテンレール内用の吊り金具用アダプター２２を螺着させる（○２）。カーテンレール内用の吊り金具用アダプター２２は長方形の板状で、その中央部にネジ孔２６が設けられている。
【００１７】
図４は、このようにして組み上げられたカーテン５１の上部を詳細に示していて、吊り下げ金具５２、吊り金具用アダプター１０、カーテンレール内用の吊り金具用アダプター２２が、ボルト２４によって一団に連結された集合体を形成している。そしてこの集合体は、吊り金具５２の一辺を軸とし、固定部材５６の把持部６０を軸受として回動することができる。
【００１８】
次ぎに、カーテンレール内用の吊り金具用アダプター２２をカーテンレール内に挿入して、カーテンを取り付ける作業に入るのであるが、ボルト２４を操作するのに邪魔になるカーテン５１を移動しなければならない。カーテン５１を手前（図４で左へ）に引くと、吊り金具５２の一辺を軸としてカーテン５１が回転して傾き、図５に示されるように、ボルト２４の頭部２５が開放される。
【００１９】
図６は次ぎの手順を説明している。同図（ａ）に示されるように、カーテンレール２８の底部に開口したランナー走行用スリット３０に、まず吊り金具用アダプター２２を挿入する。このため、長方形吊り金具用アダプター２２の長手方向をスリット３０と平行にして挿入するのであるが、吊り金具用アダプター２２の幅はスリット３０の幅より狭くされている。また、吊り金具用アダプター１０の上板１２（図５参照）と吊り金具用アダプター２２との間隔ｓを、カーテンレール２８の底板２７の厚さより大きくしておく。
【００２０】
次ぎに、ボルト２４を順方向に回転させると（同図（ｂ））、ボルト２４と共に吊り金具用アダプター２２も回転する。そして、その長手部分がカーテンレール２８の側壁内側に突き当たるようになると、吊り金具用アダプター２２の回転が止まり、ボルト２４だけが回転してカーテンレール２８内に進入する。すなわち、カーテン５１が引き上げられるようになり、やがて、吊り金具用アダプター１０（図５参照）とカーテンレール２８の底部とが接触し（同図（ｃ））、カーテン５１を自由に垂れ下げることで取り付け作業が終了する（同図（ｄ））。
【００２１】
上述の吊り金具取り付け手順から明らかなように、本発明の吊り金具用アダプター１０を用いれば、一般家庭でも簡単にカーテン５１をカーテンレール２８に取り付けることができる。そして、図６（ｄ）に示されるように、カーテン５１の上部がカーテンレール２８に近接し、隙間がほとんど生じないで取り付けられるので、外観が格別に向上する。
【００２２】
吊り金具用アダプター１０は、カーテンレール２８への取り付けだけに限定されず、天井への取り付け（天付け）にも用いることができる。すなわち、図７で説明されるように、木ネジ３２を用いて天井３４に直接ネジ込むことで取り付けられる。ボルトの代わりに木ネジ３２を用いることと、カーテンレール内用の吊り金具用アダプター２２を用いないことの他は、カーテンレール２８への取り付けとほぼ同様である。カーテン５１と天井３４との間が空かず取り付けられるので、従来にない優れた外観になる。
【００２３】
本発明の吊り金具用アダプター１０によるカーテン５１の取り付けでは、カーテンレール内用の吊り金具用アダプター２２及び吊り金具用アダプター１０の上板１２でカーテンレール２８の底板２７を挟むことにより、カーテン５１を支持することになる。したがって、上板１２が、前後のどちらかに偏ってカーテンレール２８の底板と接するようになれば、カーテンレール２８のスリット３０を挟む両側に、不均等な変形応力が掛ることになって好ましくない。上板１２が、前後に等しくカーテンレール２８の底板２７と接するように、上板１２の前後を二分する位置に孔１６が設けられるのが好ましい。
【００２４】
孔１６、１７の大きさは、挿通されるボルト２４の太さを基にして定められるが、一般に、市販のロールカーテンなどの重量を両端で支持するには、太さ３ｍｍ以上のボルト２４が必要であり、孔１６、１７の幅は少なくとも３ｍｍとされるのが好ましい。また、一般に、市販のカーテンレール２８に設けられる、ランナー走行用のスリット３０の幅は６ｍｍから１０ｍｍなので、孔１６、１７の幅は１０ｍｍ以下とされるのが好ましい。そして、汎用性が高まるため、４ｍｍ以上６ｍｍ以下とされるのが特に好ましい。孔１６、１７の形状は、円、楕円、長方形、等々特に限定されない。ボルト２４の頭部と下板１４との間にワッシャーを挿入しても良い。
【００２５】
上板１２の幅は少なくとも７ｍｍとされるのが好ましい。市販のカーテンレール２８のランナー走行用スリット３０の幅が主に６ｍｍから１０ｍｍなので、７ｍｍより狭い上板１２では、スリット３０に嵌り込むことがあって好ましくない。
【００２６】
また、上板１２の幅は大きくとも２２ｍｍとされるのが好ましい。上板１２の幅をカーテンレール２８より広くしても、カーテン５１を支持する力は増加しない。市販カーテンレール２８の多くで、底部の幅が２０ｍｍ以下であるため、上板１２の幅を大きくとも２２ｍｍとして無駄を省くのが好ましい。
【００２７】
また、上板１２及び下板１４の長さは少なくとも１４ｍｍとされるのが好ましい。市販のカーテンに備えられる最も小さな三角リング状吊り金具５２の幅（左右方向の長さ）は略１４ｍｍであり、この三角リング状吊り金具５２の全幅を覆う長さの上板１２と下板１４とで、吊り金具５２を確実に挟持しなければならない。市販の三角リング状吊り金具５２の幅を考慮すると、上板１２及び下板１４の長さは、約２８mmが良い。
【００２８】
図８と図９は、カーテンレール２８にカーテン５１が取り付けられた状態での、吊り金具５２と吊り金具用アダプター１０の下板１４との関係を示している。下板１４に設けられた孔１７の中心から距離ｄｃだけ横に離れて、カーテン５１は重力によって垂直に垂れ下がっている。孔１７がカーテンレール２８の中心に位置するので（図６参照）、カーテン５１が孔１７から離れるほど、カーテンレール２８に捻りの応力が加わることになり、カーテンレール２８が変形したり破損したりし易くなる。したがって、カーテン５１を孔１７に近付けることが望ましいが、その距離ｄｃが、下板１４の前辺２３と孔１７との距離ｄより小さくなれば、固定部材５６の把持部６０が下板１４の上に乗り上げてしまい、カーテン５１が垂直に垂れ下がれなくなるので好ましくない。
【００２９】
距離ｄを小さくすることによって距離ｄｃも小さくできるようにし、図１０に示されるように、固定部材５６の把持部６０を下板１４の前辺２３に接触するまで近付けるのがベストであるが、距離ｄを小さくするにも限界がある。距離ｄは、孔１７の半径と、孔１７の縁から前辺２３までの距離の和であるが、上述したように、孔１７の幅は３ｍｍ以上とされるのが好ましいので、孔１７の最小半径は実用的に１．５ｍｍになる。また、孔１７の縁から前辺２３までの距離は少なくとも１ｍｍ必要なので、距離ｄ、すなわち、孔１７の中心から前辺２３までの距離は、２．５ｍｍ以上とされるのが好ましい。
【００３０】
一方、距離ｄには実用的に好ましい上限がある。図１１で示される吊り金具５２は、その後方端内側でボルト２４と接しており、把持部６０が下板１４の前辺２３と接している。もし、孔１７の中心から前辺２３までの距離ｄが、これ以上大きくなるような下板１４が用いられたら、把持部６０が下板１４の上に乗り上げてしまい、カーテン５１を垂直に吊り下げられなくなるので好ましくない。本図で示される距離ｄが実用的な意味での上限である。吊り金具５２が大きければ、距離ｄの上限も大きくなるが、最も小さい吊り金具５２に対する上限の距離ｄにしておけば、どんな吊り金具５２を備えたカーテン５１にも使用できるので非常に便利である。市販のカーテンに備えられる、略１４ｍｍの最も小さな三角リング状吊り金具に対して、その線径やボルト２４の太さを種々組み合わせて検討した結果、孔１７の中心から前辺２３までの距離ｄの上限は約７mmであった。
【００３１】
以上、下板１４の孔１７から前辺２３までの距離ｄについて詳細に説明してきたが、上板１２の形状も十分検討されなければならない。図１２で示される吊り金具用アダプター１０では、下板１４の前辺２３より上板１２の前辺２９が手前に長くなっている。このため、固定部材５６の把持部６０の上に上板１２が被さり、ボルト２４の締め付けにより、両者は強く圧接するようになる。そして、把持部の自由な回動が阻害されて、カーテン取り付け作業が非常に難しくなる。また、把持部６０の肉厚分だけ上板１２が持ち上がり、上板１２と下板１４との平行関係が崩れてしまう。したがって、このような不都合が生じないように、上板１２の少なくとも一辺は下板１４の前辺２３と重なり、把持部６０の上に上板１２が被さることによって生じるこれらの不都合が避けられるのが好ましい。
【００３２】
図１３と図１４には、上板１２あるいは下板１４の好ましい形状に関し、幾つかの例を示している。いずれの形状も、孔１６（１７）の中心から前辺２９（２３）までの距離ｄを等しくしているので、上板１２と下板１４にどの形状を選択してもよく、それらを組み合わせて吊り金具用アダプター１０を構成できる。
【００３３】
図１３に示す形状は、前後を二分する位置に孔１６（１７）が設けられている。同図（ａ）に示される長方形の前辺２９（２３）は、孔１６（１７）と近接する点を中心にして、左右にＬ１の長さで対称的であるが、同図（ｂ）に示される長方形では、左にＬ１、右にＬ２の長さで非対称である。市販のカーテンに備えられる、最も小さな丸または三角リング状吊り金具に用いられる把持部６０の長さは略８ｍｍである。したがって、孔１６（１７）と近接する点を中心にして、左右にそれぞれ、少なくとも４ｍｍの長さである前辺２９（２３）であることが好ましい。市販のカーテンにおける把持部６０の長さを考慮すると、前辺２９（２３）の長さは、約１８mmが良い。
【００３４】
同図（ａ）、（ｆ）、（ｉ）に示される形状は、前後左右に対称である。また、同図（ｂ）、（ｃ）、（ｊ）に示される形状は、前後にだけ対称である。同図（ｊ）に示される形状では、孔１６（１７）が右に偏って設けられている。また、同図（ｇ）、（ｈ）に示される形状は、左右にだけ対称である。そして、同図（ｄ）、（ｅ）に示される形状は、前後左右ともに非対称である。カーテンレール２８の中央部に孔１６が位置するようにして当接する上板１２では、カーテンレール２８に掛る負荷ができるだけ均等になるように、前後左右に対称な形状とされるのが特に好ましい。
【００３５】
同図（ｅ）、（ｆ）、（ｇ）の形状では、前辺２９（２３）がコの字状窪みの底辺として形成されている。上板１２をこれらの形状とすれば、孔１６の中心から前辺２９までの距離ｄを短くしながら、かつ、広い幅で左右均等にカーテンレール２８と接することができる。またこれの形状で、前辺２９の長さを把持部６０の長さとほぼ等しくすれば、把持部６０をコの字状窪みに嵌め込むことによって、吊り金具５２の固定位置が、孔２９から左右に大きくずれることを防ぐことができる。
【００３６】
また、前後に対称な形状であれば、吊り金具５２を後辺側からも挿入することができるので、組み付け作業が容易になって便利であり、カーテンレール２８に対し、スリット３０を挟む両側に等しい負荷が掛るようになるので安定性が増す。同図（ｆ）に示される略Ｈ型の形状は、前後左右に対称であること、及び、前辺２９がコの字状窪みの底辺として形成されていることのために、上板１２に最適である。
【００３７】
図１４には、前後の偏った位置に孔１６（１７）が設けられた形状が例示されていて、上板１２よりも下板１４に適用し易い形状群である。同図（ａ）を除いて、同図（ｂ）、（ｃ）、（ｄ）、（ｅ）、（ｆ）は全て左右に対称である。
【００３８】
図１に示される吊り金具用アダプター１０は、上板１２と下板１４とが前（または後）の一辺だけで連結されている。しかしながら、この連結は、少なくとも一辺（前辺または後辺）を残してどの辺（端部）でも自由に行えるものである。なお、連結は、図２に示されるように二つ折りで行うこともできるし、溶接や蝶番などの手段によってもよい。例えば、図１５に示される略Ｈ型の吊り金具用アダプター１０では、同図（ａ）に示されるように、左の一辺で連結されてもよいし、同図（ｂ）に示されるように、後方の一辺で連結されてもよい。あるいは、同図（ｃ）に示されるように、左右の二辺で連結されてもよいし、同図（ｄ）に示されるように、左右と後方の三辺で連結されてもよい。
【００３９】
また、例えば、図１６に示される台形状の吊り金具用アダプター１０では、同図（ａ）に示されるように、左の一辺で連結されてもよいし、同図（ｂ）に示されるように、左右の二辺で連結されてもよい。
【００４０】
一辺だけで連結された吊り金具用アダプター１０は、次ぎのようなメリットがある。すなわち、図２で示されるように、打ち抜いた板状体を二つ折りするだけで製作できるのでコストが大幅に軽減される。また、一端が固定されているだけなので上板１２や下板１４が撓み易くなり、上板１２や下板１４の弾性を利用したり、ボルト２４の締め付けを利用したりして、上板１２と下板１４との間で吊り金具５２を確実に挟持できるようになる。
【００４１】
上板１２と下板１４を貫通する孔１６，１７は円孔に限定されず、例えば、角柱状でもよいし楕円柱状でもよい。図１７に示される吊り金具用アダプター１０では、前後に長い、いわゆる長孔４０が設けられている。この吊り金具用アダプター１０を用いれば、取り付けの最終段階で吊り金具用アダプター１０を前後に動かし、カーテンレール２８との位置関係を微調整することができる。
【００４２】
孔１６，１７の代わりに、切り欠きを設けてもよい。図１８はその幾つかの例を示すが、いずれも、上板１２と下板１４とが連結された左辺から進入し、吊り金具用アダプター１０の中央部まで伸びる切り欠き３８が設けられている。そして、切り欠き３８の先端部３９の中心から前辺２９（２３）までは、距離ｄだけ離れている。切り欠き３８の形状や位置は、孔１６，１７に準じて定められるが、上板１２と下板１４とが連結された辺から進入することによって、切り欠き３８を設けることによる強度の低下を最小限に止めることができる。
【００４３】
切り欠き３８を設けることの利点は、カーテン５１を取り付ける手順を変えられることである。すなわち、まず、カーテンレール内用の吊り金具用アダプター２２とボルト２４とを連結してカーテンレール２８内に挿入し、次いで、吊り金具５２をボルト２４に掛け、最後に吊り金具用アダプター１０を、その切り欠き３８にボルト２４が収まるようにして、吊り金具５２を挟みながら横から入れる。そして、ボルト２４を締め付ける手順が可能となる。
【００４４】
この取り付け手順によれば、カーテンレール内用の吊り金具用アダプター２２をカーテンレール２８内に挿入する作業が、カーテン５１を支えながらしなくてもよいので非常に容易になり、カーテンレール内に予め収容された吊り金具用アダプター２２に狙いを定めてボルト２４をねじ込む作業も難しくなくなる。
【００４５】
上板１２と下板１４とは略４ｍｍ以内、好ましくは平均的に２ｍｍ位の間隙で互いに近接している。図１９に示されるように、ほぼ平行であったり（ａ）、やや開いていたり（ｂ）、開き易いように折り曲げ部３６の曲率を緩めたり（ｃ）、挟持性を高めるためヘアピンのように狭めた部分４２を設けたり（ｄ）、その他種々の近接態様を選択できる。
【００４６】
次ぎに、本発明に係わるカーテンレール内用の吊り金具用アダプターについて詳しく説明する。図２０に示される吊り金具用アダプター２２は、長方形板状の本体部材４８にネジ孔４４が設けられたものである。その使用方法の一例は、すでに図３〜図６を用いて説明された。ネジ孔４４の直径は、カーテンの重量を十分に支えることができて汎用性の高いボルトの太さに合わせ、３ｍｍ〜６ｍｍとされる。
【００４７】
ランナー走行用スリットからカーテンレール内に挿入できるように、吊り金具用アダプター２２の幅ｗｔはランナー走行用スリットの幅より狭くされる。すなわち、市販カーテンレールの大半が、幅約６ｍｍ〜１１ｍｍのランナー走行用スリットを設けているので、吊り金具用アダプター２２の幅ｗｔは５ｍｍ〜１０ｍｍとされるのが好ましい。
【００４８】
また、ネジ孔４４に螺合されたボルトが回された時に、吊り金具用アダプター２２がカーテンレールの内壁に引っ掛って共回りが阻止されるように、吊り金具用アダプター２２の長さはカーテンレールの内幅より大きくされる。すなわち、市販カーテンレールの大半の内幅が約１３ｍｍ〜２３ｍｍなので、吊り金具用アダプター２２の長さＬｔは１５ｍｍ〜２５ｍｍとされるのが好ましい。
【００４９】
吊り金具用アダプター２２の厚さｈは、カーテンレール内に収容される厚さであればよい。市販カーテンレールの多くは、その内部空間の高さが２０ｍｍ位であるから、吊り金具用アダプター２２の厚さｈが１８ｍｍ以下であれば大半の市販カーテンレールに用いることができる。但し、強度を確保するために１ｍｍ以上の厚さｈにされるのが好ましい。吊り金具用アダプター２２は、図２０に示されるように板状体であっても、図２１に示されるように中空状であっても、あるいはブロック状であってもよい。
【００５０】
この吊り金具用アダプター２２の特に有用な実施態様では、幅ｗｔが５ｍｍ〜６．５ｍｍ、長さＬｔが１９ｍｍ〜２２ｍｍの板状体であって、直径３ｍｍ〜４．５ｍｍのネジ孔４４が設けられる。板状体であって小形なので、市販のほとんどのカーテンレールに用いることができ、カーテンの取り付けを容易に行うことができる。
【００５１】
カーテンレール内用の吊り金具用アダプター２２は、図３〜図６をもとにして説明されたように、吊り金具用アダプター１０と組み合わされて有効に用いられるが、必ずしも吊り金具用アダプター１０と組み合わせなくてもよい。吊り金具用アダプター１０の代わりに、例えば中央部に孔の開いた２枚の板材（ワッシャーなど）で、吊り金具５２を挟んで同様の手順を実施することによって、カーテン５１を取り付けることも可能である。あるいは、従来の、端部のキャップを外してカーテンレール内に挿入するタイプの取り付け金具に代えて用いることもできる。
【００５２】
図２２は、カーテンレール内用の別なタイプの吊り金具用アダプター３１を示していて、長方形板状の本体部材４８の中央部からネジ棒４６が立てられている。この吊り金具用アダプター３１の用い方を図３を参照しながら説明すると、吊り金具用アダプター３１は、吊り金具用アダプター２２の機能とボルト２４の機能を併せ持ち、○２の方向とは逆に（図中下向き）ネジ棒４６を吊り金具用アダプター１０に挿通する。そして、ネジ棒４６の先端にナットを螺合させと、図４に示される状態とほぼ同様に組み上がる。それからの取り付け作業は、図６で説明される手順に順じて行われるが、ボルト２４の代わりにナットで締め付けることになる。吊り金具用アダプター３１は、吊り金具用アダプター１０と組み合わせて用いられるだけでなく、従来の、カーテンレール内用の取り付け金具の代わりに用いることによって、いろいろな種類のカーテンの取り付けを行うことができ、その作業性を大幅に改善できるものである。
【００５３】
本体部材４８の大きさは、幅ｗｔが５ｍｍ〜１０ｍｍ、長さＬｔが１５ｍｍ〜２５ｍｍ、厚さｈが０．８ｍｍ〜１８ｍｍとされる。また、ネジ棒４６の大きさは、直径φが３ｍｍ〜６ｍｍ、長さが６ｍｍ〜２５ｍｍとされる。これらの大きさは、市販カーテンレールの多くに適用できるように十分検討した結果として得られたものである。
【００５４】
図２３には、吊り金具用アダプター１０などと共に用いられる補助用の吊り金具用アダプター５０が示されている。吊り金具用アダプター５０は、リング部４３と、リング部４３の端から横方に延長して設けられるフック部４１とからなり、フック部４１は、リング部４３のリング面と平行する面４５を３回横切って屈曲している。そして、１回目の横切りから２回目の横切りまでに第一の屈曲部４７を形成し、２回目の横切りから３回目の横切りまでに第二の屈曲部４９を形成している。本例では、吊り金具用アダプター５０が１本の線材を曲げることによって製作されているが、１本の線材からに限らず、幾つかの部材の組み合わせで製作してもよい。
【００５５】
吊り金具用アダプター５０の用い方を図２４と図２５に示す。カーテンの三角リング状吊り金具５２を吊り金具用アダプター１０に直接挿入する代わりに、まず吊り金具用アダプター５０を吊り金具用アダプター１０に挿入し、この吊り金具用アダプター５０に吊り金具５２を掛ける方法である。図２４では、吊り金具５２がフック部４１の第一屈曲部４７に掛けられている。また、図２５では、吊り金具５２がフック部４１の第二屈曲部４９に掛けられている。
【００５６】
吊り金具用アダプター５０によれば、吊り金具用アダプター１０やカーテンレール内用の吊り金具用アダプター２２によって、まず吊り金具用アダプター５０をカーテンレールに固定し、それから吊り金具用アダプター５０にカーテンを吊り下げるという２段階の取り付けになる。このため、重いカーテンを支えてカーテンレールへ直接取り付ける作業が回避できる。また、屈曲部４７と屈曲部４９を使い分けることによって、二通りの高さ及び前後位置でカーテンを取り付けることができるので、取り付け場所の状況に応じて最適の取り付け状態を選択できるようになる。また、吊り金具の位置が、従来のフック型取り付け金具を用いた時よりも高くなり、カーテンレールを目隠しできるようになる。
【００５７】
以上、本発明に係わる吊り金具用アダプター及びカーテン取り付け方法について詳細に説明してきたが、本発明は上述の引用・例示に限定されず、カーテンの種類、吊り金具の材質や形状、吊り金具用アダプターの材質や大きさや形状などにつき、本発明の趣旨を逸脱しない範囲で、当業者の知識に基づき種々なる改良、修正、変化を加えた態様で実施し得るものである。
【００５８】
【発明の効果】
本発明に係わる吊り金具用アダプター集合体によれば、三角リング状のカーテン吊り金具を挟み、カーテンレール内用の取り付け金具と組み合わせて、カーテンレールにカーテンを容易に取り付けることができる。また、木ネジなどを、用いて、天井に取り付けることもできる。そして、三角リング状のカーテン吊り金具を横倒しにするので、カーテンの取り付け位置が高くなり外観が向上する。また、その大きさや形状、孔の大きさや位置などを適切に定めることによって、市販のカーテンレールのほとんどに対して使用できるようになる。
【００５９】
また、本発明に係わるカーテンレール内用の吊り金具用アダプターによれば、ランナー走行用のスリットからカーテンレール内に挿入できるので、従来のように、端部のキャップを装脱する面倒な作業が省かれる。また、ボルトなどに予め係止させてから、カーテンレール内に挿入できるので、従来のように、カーテンレール内にある取り付け金具のネジ孔にボルトを合わせるという難しい作業を省略できる。
【００６０】
また、本発明に係わる補助用の吊り金具用アダプターによれば、カーテンの取り付け高さ及び前後位置が二通りに選択できるので、取り付け場所に適した最良の取り付けができるようになる。カーテンの取り付け位置が高くなるので、カーテンレールを目隠しできるようになる。
【００６１】
本発明に係わる吊り金具取り付け方法によれば、三角リング状のカーテン吊り金具を二枚の板材で挟んで横倒しにするので、カーテンの取り付け位置が高くなり外観が向上する。
【００６２】
そして特に、二枚の板材を予め連結しておくことによって、板材どうしの位置合わせ作業を省略できるようになる。
【００６３】
また、幅が５ｍｍ〜１０ｍｍの、カーテンレール内用の吊り金具用アダプターを用いることによって、従来の、端部のキャップを装脱する面倒な作業や、カーテンレール内にある吊り金具用アダプターのネジ孔にボルトを合わせるという難しい作業、を省略できるようになる。
【図面の簡単な説明】
【図１】  本発明に係わる吊り金具用アダプターの一例を示し、同図（ａ）は上面図、同図（ｂ）は側面図、同図（ｃ）は裏面図である。
【図２】  本発明に係わり、図１に示される吊り金具用アダプターの展開図である。
【図３】  本発明に係わり、図１に示される吊り金具用アダプターを用いたカーテン取り付け方法を説明する斜視図である。
【図４】  本発明に係わり、図３に示される手順で組み立てられるブロック体の断面図である。
【図５】  本発明に係わり、図４に示されるブロック体の別の状態を示す断面図である。
【図６】  本発明に係わり、カーテン取り付け方法を説明する断面図であり、同図（ａ）はカーテンレールに挿入する前、同図（ｂ）はカーテンレールに挿入した後、同図（ｃ）はボルトで固定した後、同図（ｄ）は取り付け完了後を示す。
【図７】  本発明に係わり、図１に示される吊り金具用アダプターを用いてカーテンを天付けした状態を示す断面図である。
【図８】  本発明に係わり、下板と吊り金具との位置関係を説明する断面図である。
【図９】  本発明に係わり、下板と吊り金具との位置関係を説明する平面図である。
【図１０】  本発明に係わり、下板と吊り金具との他の位置関係を説明する平面図である。
【図１１】  本発明に係わり、下板と吊り金具との他の位置関係を説明する平面図である。
【図１２】  本発明に係わり、上板と把持部との位置関係を説明し、同図（ａ）は平面図、同図（ｂ）は側面図である。
【図１３】  本発明に係わり、孔が前後を二分する位置に設けられた、上板又は下板の幾つかの形状を例示する上面図である。
【図１４】  本発明に係わり、上板又は下板の他の幾つかの形状を例示する上面図である。
【図１５】  本発明に係わる吊り金具用アダプターの幾つかを例示する上面図であり、同図（ａ）は左の一辺で連結、同図（ｂ）は後ろの一辺で連結、同図（ｃ）は左右の二辺で連結、同図（ｄ）は左右の二辺と後ろの一辺で連結した例である。
【図１６】  本発明に係わる吊り金具用アダプターの他の幾つかを例示する上面図であり、同図（ａ）は左の一辺で連結、同図（ｂ）は左右の二辺で連結した例である。
【図１７】  本発明に係わる吊り金具用アダプターの別の一例を示す上面図である。
【図１８】  本発明に係わり、切り欠きを持つ吊り金具用アダプターを例示する上面図であり、同図（ａ）は略Ｈ形、同図（ｂ）は略コの字形、同図（ｃ）は長方形の輪郭を有する吊り金具用アダプターを示す。
【図１９】  本発明に係わる吊り金具用アダプターを例示する側面図であり、同図（ａ）は上板と下板が平行、同図（ｂ）は両者が平行でない、同図（ｃ）は折り曲げ部の曲率が緩やか、同図（ｄ）はヘアピン状、を特徴としている。
【図２０】  本発明に係わる吊り金具用アダプターの別の一例を示す斜視図である。
【図２１】  本発明に係わる吊り金具用アダプターの別の一例を示す斜視図である。
【図２２】  本発明に係わる吊り金具用アダプターの別の一例を示す斜視図である。
【図２３】  本発明に係わる吊り金具用アダプターの別の一例を示し、同図（ａ）は平面図、同図（ｂ）は側面図である。
【図２４】  本発明に係わり、図２３に示される吊り金具用アダプターを用いた取り付け状態を示し、一部を断面で示す側面図である。
【図２５】  本発明に係わり、図２３に示される吊り金具用アダプターを用いた別の取り付け状態を示し、一部を断面で示す側面図である。
【図２６】  市販カーテンの一例を示す斜視図である。
【符号の説明】
１０：吊り金具用アダプター
１１：板材
１２：上板
１４：下板
１６、１７：孔
１８：欠損部
１９、２１：中心線
２０：折り曲げ線
２２、３１：カーテンレール内用の吊り金具用アダプター
２３：下板の前辺
２４：ボルト
２５：頭部
２６、４４：ネジ孔
２７：底板
２８：カーテンレール
２９：上板の前辺
３０：スリット
３２：木ネジ
３４：天井
３６：折り曲げ部
３８：切り欠き
３９：先端部
４０：長孔
４１：フック部
４２：狭めた部分
４３：リング部
４５：リング面と平行する面
４６：ネジ棒
４７、４９：屈曲部
４８：本体部材
５０：補助用吊り金具用アダプター
５１：カーテン
５２：吊り金具
５４：上部部材
５６：固定部材
６０：把持部
【図１】
0003861237.tif 000002
【図２】
0003861237.tif 000003
【図３】
0003861237.tif 000004
【図４】
0003861237.tif 000005
【図５】
0003861237.tif 000006
【図６】
0003861237.tif 000007
【図７】
0003861237.tif 000008
【図８】
0003861237.tif 000009
【図９】
0003861237.tif 000010
【図１０】
0003861237.tif 000011
【図１１】
0003861237.tif 000012
【図１２】
0003861237.tif 000013
【図１３】
0003861237.tif 000014
【図１４】
0003861237.tif 000015
【図１５】
0003861237.tif 000016
【図１６】
0003861237.tif 000017
【図１７】
0003861237.tif 000018
【図１８】
0003861237.tif 000019
【図１９】
0003861237.tif 000020
【図２０】
0003861237.tif 000021
【図２１】
0003861237.tif 000022
【図２２】
0003861237.tif 000023
【図２３】
0003861237.tif 000024
【図２４】
0003861237.tif 000025
【図２５】
0003861237.tif 000026
【図２６】
0003861237.tif 000027